(57)【要約】【課題】無線伝送品質が低下して映像が途切れている期間、映像の再生処理を停止させるように制御する映像送信装置を提供すること。【解決手段】映像再生機器（２６）が接続される接続端子（１０６）と、前記接続端子（１０６）を通じて入力された映像信号を無線伝送する無線伝送部（１０４）と、前記無線伝送部（１０４）により無線伝送される際の伝送品質を検知する伝送品質検知部（１１０）と、前記伝送品質の劣化が検知された場合に前記映像再生機器（２６）を制御して映像の再生を停止させ、前記伝送品質が回復した場合に前記映像の再生を再開させる再生制御部（１１２）とを有する、映像送信装置（１００）が提供される。【選択図】図７
2010041615.tif 000002
【特許請求の範囲】
【請求項１】
映像再生機器が接続される接続端子と、
前記接続端子を通じて入力された映像信号を無線伝送する無線伝送部と、
前記無線伝送部により無線伝送される際の伝送品質を検知する伝送品質検知部と、
前記伝送品質の劣化が検知された場合に前記映像再生機器を制御して映像の再生を停止させ、前記伝送品質が回復した場合に前記映像の再生を再開させる再生制御部と、
を有する、映像送信装置。
【請求項２】
前記映像信号の無線伝送先で検出される前記伝送品質の情報を当該無線伝送先から取得する品質情報取得部をさらに有し、
前記伝送品質検知部は、前記品質情報取得部により取得された伝送品質の情報に基づいて前記伝送品質を検知する、請求項１に記載の映像送信装置。
【請求項３】
前記品質情報取得部は、前記伝送品質が所定品質よりも劣化した場合に品質劣化を示す情報を取得し、前記所定品質以上に伝送品質が回復した場合に品質回復を示す情報を取得する、請求項２に記載の映像送信装置。
【請求項４】
前記品質情報取得部は、前記映像信号の無線伝送先でデコード後の映像品質が所定品質を下回った場合に前記品質劣化を示す情報を取得し、前記所定品質以上の映像品質が回復した場合に品質回復を示す情報を取得する、請求項３に記載の映像送信装置。
【請求項５】
前記伝送品質は、前記映像信号の伝送先で検出される復調時又は復号時のエラーレートに基づいて判定される、請求項３に記載の映像送信装置。
【請求項６】
映像再生機器が接続される接続端子と、
前記接続端子を通じて入力された映像信号を無線伝送する無線伝送部と、
前記映像信号の無線伝送品質を示す品質情報を取得する品質情報取得部と、
前記品質情報取得部により取得された品質情報に基づき、前記伝送品質の劣化が検知された場合に前記映像再生機器を制御して映像の再生を停止させ、前記伝送品質が回復した場合に前記映像の再生を再開させる再生制御部と、
を有する映像送信装置と；
前記映像送信装置から無線伝送された映像信号を受信する無線受信部と、
前記無線受信部により受信された映像信号をデコードするデコード部と、
前記デコード部によりデコードされた映像信号の映像品質を判定する品質判定部と、
前記品質判定部による判定結果を前記品質情報として提供する品質情報提供部と、
を有する映像受信装置と；
を含む、映像伝送システム。
【請求項７】
映像再生機器が接続された映像送信装置により、
前記映像再生機器から入力された映像信号が無線伝送される無線伝送ステップと、
前記無線伝送ステップで無線伝送された際の伝送品質が検知される伝送品質検知ステップと、
前記伝送品質の劣化が検知された場合に前記映像再生機器が制御されて映像の再生が停止させられ、前記伝送品質が回復した場合に前記映像の再生が再開させられる再生制御ステップと、
を含む、映像送信装置による再生制御方法。
【発明の詳細な説明】
【技術分野】
【０００１】
本発明は、映像送信装置、映像伝送システム、及び映像送信装置による再生制御方法に関する。
【背景技術】
【０００２】
近年、会議や演説の場において講演者がパーソナルコンピュータ（以下、ＰＣ）を利用して聴講者に資料を提示している場面を見かけることが多くなった。このような場面では、多くの場合、ＰＣに有線接続されたプロジェクタが用いられている。その際、講演者は、プロジェクタに設けられたＤＶＩ（Ｄｉｇｉｔａｌ  Ｖｉｓｕａｌ  Ｉｎｔｅｒｆａｃｅ）端子にケーブルでＰＣを接続し、ケーブルが届く位置でＰＣを操作しながら講演を行う。場合によっては、講演者の他に、ＰＣを操作する補助者が設けられている。補助者を設けると、講演者は、ＰＣの画面内容が投影されたスクリーンの近くで演説できる。
【０００３】
このように、プロジェクタは、例えば、スクリーン上の大きな表示領域に映像を投影して大勢の人に情報を提供するために用いられてきた。しかし、最近では、プロジェクタが一般家庭にも普及しつつあり、プロジェクタを利用して映画等をスクリーンに投影して視聴するという利用スタイルも生まれてきている。このような背景には、高性能なプロジェクタが比較的安価に手に入るようになったことや、コンテンツのデジタル化により高品質な映像を家庭で容易に再生できる環境が整ったことがある。
【０００４】
プロジェクタを利用するには、当然、プロジェクタと再生機器とをケーブルで接続する必要がある。しかし、家庭内では、再生機器や録画再生機器は、テレビジョン受像機等の近辺に設置され、相互にケーブルで接続されている。そのため、これらのケーブルを外してプロジェクタに接続し直したり、再生機器等をプロジェクタの近くに移動させたりする必要があり、プロジェクタを利用するために非常に手間がかかる。そこで、再生機器等により出力される映像信号をプロジェクタに無線伝送する技術が注目されている。例えば、下記の特許文献１には、映像データや音声データを無線伝送する技術が開示されている。
【０００５】
【特許文献１】特開２００４−３３６７２９号公報
【発明の開示】
【発明が解決しようとする課題】
【０００６】
しかしながら、無線チャネルにおける伝送品質が劣化すると、プロジェクタにより投影される映像が乱れたり、全く表示されなくなってしまう。また、高品質なデジタル映像信号は、データ量が大きい上、高度に符号化されており、映像信号の一部が欠落することで、デコード後の映像が大きく乱れてしまう。さらに、無線チャネルにおける伝送品質の劣化に起因して映像が乱れたり、全く表示されなくなったりした場合でも、再生機器は映像を再生し続けてしまう。そのため、無線チャネルにおける伝送品質が回復したとしても、伝送品質が劣化している間に映像シーンが進んでしまう。このような場合、ユーザは、再生機器を操作し、伝送品質が劣化する前の映像シーンまで巻き戻す必要がある。その結果、伝送品質が劣化する度に映像シーンの巻き戻し操作が必要になり、ユーザの利便性が大きく低下してしまうのである。
【０００７】
そこで、本発明は、上記問題に鑑みてなされたものであり、本発明の目的とするところは、無線伝送された映像を視聴する際に、無線伝送品質の劣化が発生して映像が乱れたり、全く表示されなくなった場合においても、無線伝送品質の回復後に映像シーンの巻き戻し操作をせずとも、劣化前の映像シーンから自動的に続けて視聴することが可能な、新規かつ改良された映像送信装置、映像伝送システム、及び映像送信装置による再生制御方法を提供することにある。
【課題を解決するための手段】
【０００８】
上記課題を解決するために、本発明のある観点によれば、映像再生機器が接続される接続端子と、前記接続端子を通じて入力された映像信号を無線伝送する無線伝送部と、前記無線伝送部により無線伝送される際の伝送品質を検知する伝送品質検知部と、前記伝送品質の劣化が検知された場合に前記映像再生機器を制御して映像の再生を停止させ、前記伝送品質が回復した場合に前記映像の再生を再開させる再生制御部と、を有する、映像送信装置が提供される。
【０００９】
このように、上記の映像送信装置は、映像再生機器が接続される接続端子を有する。上記の映像送信装置は、無線伝送部により、前記接続端子を通じて入力された映像信号を無線伝送する。上記の映像送信装置は、上記の伝送品質検知部により、前記無線伝送部により無線伝送される際の伝送品質を検知する。上記の映像送信装置は、再生制御部により、前記伝送品質の劣化が検知された場合に前記映像再生機器を制御して映像の再生を停止させ、前記伝送品質が回復した場合に前記映像の再生を再開させる。
【００１０】
また、上記の映像送信装置は、前記映像信号の無線伝送先で検出される前記伝送品質の情報を当該無線伝送先から取得する品質情報取得部をさらに有していてもよい。この場合、前記伝送品質検知部は、前記品質情報取得部により取得された伝送品質の情報に基づいて前記伝送品質を検知する。
【００１１】
また、前記品質情報取得部は、前記伝送品質が所定品質よりも劣化した場合に品質劣化を示す情報を取得し、前記所定品質以上の伝送品質が回復した場合に品質回復を示す情報を取得するように構成されていてもよい。
【００１２】
また、前記品質情報取得部は、前記映像信号の無線伝送先でデコード後の映像品質が所定品質を下回った場合に前記品質劣化を示す情報を取得し、前記所定品質以上の映像品質が回復した場合に品質回復を示す情報を取得するように構成されていてもよい。
【００１３】
また、前記伝送品質は、前記映像信号の伝送先で検出される復調時又は復号時のエラーレートに基づいて判定されるように構成されていてもよい。
【００１４】
また、上記課題を解決するために、本発明の別の観点によれば、映像再生機器が接続される接続端子と、前記接続端子を通じて入力された映像信号を無線伝送する無線伝送部と、前記映像信号の無線伝送品質を示す品質情報を取得する品質情報取得部と、前記品質情報取得部により取得された品質情報に基づき、前記伝送品質の劣化が検知された場合に前記映像再生機器を制御して映像の再生を停止させ、前記伝送品質が回復した場合に前記映像の再生を再開させる再生制御部と、を有する映像送信装置と；前記映像送信装置から無線伝送された映像信号を受信する無線受信部と、前記無線受信部により受信された映像信号をデコードするデコード部と、前記デコード部によりデコードされた映像信号の映像品質を判定する品質判定部と、前記品質判定部による判定結果を前記品質情報として提供する品質情報提供部と、を有する映像受信装置と；を含む、映像伝送システムが提供される。
【００１５】
このように、上記の映像伝送システムは、映像送信装置と、映像受信装置とを含む。
【００１６】
また、上記の映像送信装置は、映像再生機器が接続される接続端子を有する。上記の映像送信装置は、無線伝送部により、前記接続端子を通じて入力された映像信号を無線伝送する。上記の映像送信装置は、品質情報取得部により、前記映像信号の無線伝送品質を示す品質情報を取得する。上記の映像送信装置は、再生制御部により、前記品質情報取得部により取得された品質情報に基づき、前記伝送品質の劣化が検知された場合に前記映像再生機器を制御して映像の再生を停止させ、前記伝送品質が回復した場合に前記映像の再生を再開させる。
【００１７】
また、上記の映像受信装置は、デコード部により、前記映像送信装置から無線伝送された映像信号を受信する無線受信部と、前記無線受信部により受信された映像信号をデコードする。上記の映像受信装置は、品質判定部により、前記デコード部によりデコードされた映像信号の映像品質を判定する。上記の映像受信装置は、品質情報提供部により、前記品質判定部による判定結果を前記品質情報として提供する。
【００１８】
また、上記課題を解決するために、本発明の別の観点によれば、映像再生機器が接続された映像送信装置により、前記映像再生機器から入力された映像信号が無線伝送される無線伝送ステップと、前記無線伝送ステップで無線伝送された際の伝送品質が検知される伝送品質検知ステップと、前記伝送品質の劣化が検知された場合に前記映像再生機器が制御されて映像の再生が停止させられ、前記伝送品質が回復した場合に前記映像の再生が再開させられる再生制御ステップと、
を含む、映像送信装置による再生制御方法が提供される。
【００１９】
このように、上記の再生制御方法では、無線伝送ステップにおいて、映像再生機器が接続された映像送信装置により、前記映像再生機器から入力された映像信号が無線伝送される。上記の再生制御方法では、伝送品質検知ステップにおいて、前記無線伝送ステップで無線伝送された際の伝送品質が検知される。上記の再生制御方法では、再生制御ステップにおいて、前記伝送品質の劣化が検知された場合に前記映像再生機器が制御されて映像の再生が停止させられ、前記伝送品質が回復した場合に前記映像の再生が再開させられる。
【００２０】
また、上記課題を解決するために、本発明の別の観点によれば、上記の情報処理装置が有する機能をコンピュータに実現させるためのプログラムが提供されうる。さらに、このプログラムが記録されたコンピュータで読み取り可能な記録媒体が提供されうる。
【発明の効果】
【００２１】
以上説明したように本発明によれば、無線伝送された映像を視聴する際に、無線伝送品質の劣化が発生して映像が乱れたり、全く表示されなくなった場合においても、無線伝送品質の回復後に映像シーンの巻き戻し操作をせずとも、劣化前の映像シーンから自動的に続けて視聴することが可能になる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
［説明の流れについて］
ここで、以下に記載する説明の流れについて簡単に述べる。まず、図１を参照しながら、接続ケーブルを用いて映像信号を伝送する映像伝送システムの構成について説明する。次いで、図２を参照しながら、無線通信を用いて映像信号を伝送する映像伝送システムの構成について説明する。次いで、図３〜図５を参照しながら、無線通信を用いて映像信号を伝送する映像伝送方法について説明する。この説明の中で、当該映像伝送方式における技術的課題について説明する。
【００２４】
上記の技術的課題を踏まえ、図６を参照しながら、本実施形態に係る映像伝送システムの構成について説明する。さらに、図７を参照しながら、本実施形態の映像伝送システムに含まれる無線送信装置の機能構成について説明する。次いで、図８を参照しながら、本実施形態の映像伝送システムに含まれる無線受信装置の機能構成について説明する。次いで、図９を参照しながら、本実施形態に係る映像伝送方法について説明する。次いで、本実施形態の無線送信装置、無線受信装置が有する主な機能を実現することが可能なハードウェア構成について説明する。最後に、同実施形態の技術的思想について纏め、当該技術的思想から得られる作用効果について簡単に説明する。
【００２５】
［課題の整理］
まず、本発明の一実施形態について詳細に説明するに先立ち、同実施形態が解決しようとする課題について簡単に纏める。
【００２６】
（有線接続の映像伝送システム１０について）
まず、図１を参照しながら、接続ケーブル１４を用いて映像信号を伝送する映像伝送システム１０の構成について説明する。
【００２７】
図１に示すように、映像伝送システム１０は、映像再生装置１２と、接続ケーブル１４と、映像表示装置１６とにより構成される。
【００２８】
映像再生装置１２は、映像データが記録された記録メディアから映像データを読み出して再生し、再生された映像信号を出力する。記録メディアとしては、光記録媒体、光磁気記録媒体、磁気記録媒体、半導体記録媒体等が用いられる。光記録媒体としては、例えば、ＢＤ（Ｂｌｕ−ｒａｙ  Ｄｉｓｃ）やＤＶＤ（Ｄｉｇｉｔａｌ  Ｖｅｒｓａｔｉｌｅ  Ｄｉｓｋ）等が用いられる。磁気記録媒体としては、例えば、ＨＤＤ（Ｈａｒｄ  Ｄｉｓｋ  Ｄｒｉｖｅ）等が用いられる。
【００２９】
映像再生装置１２は、再生専用装置であってもよいし、或いは、録画再生装置であってもよい。また、映像再生装置１２は、放送データを受信し、映像信号として出力するように構成されていてもよい。さらに、映像再生装置１２は、ＰＣやゲーム機等であってもよい。映像再生装置１２は、接続ケーブル１４を介して映像表示装置１６に接続されている。そのため、映像再生装置１２から出力された映像信号は、接続ケーブル１４を通じて映像表示装置１６に入力される。
【００３０】
接続ケーブル１４としては、例えば、ＨＤＭＩケーブルやＤＶＩケーブル等が用いられる。接続ケーブル１４を通じて映像再生装置１２から映像表示装置１６に映像信号が入力されると、映像表示装置１６は、入力された映像信号を表示画面に表示する。映像表示装置１６としては、例えば、テレビジョン受像機やプロジェクタ等が用いられる。もちろん、映像表示装置１６としてモニター等を用いることもできる。
【００３１】
上記の映像伝送システム１０のように、映像再生装置１２と映像表示装置１６とは、接続ケーブル１４により有線接続されていることが多い。このように有線接続されている場合、接続ケーブル１４が断線しない限り、映像再生装置１２から映像表示装置１６に向けて出力された映像信号が失われることはない。つまり、映像伝送システム１０の構成は、映像信号を安定して伝送することに関して優れている。
【００３２】
しかしながら、映像伝送システム１０は、映像再生装置１２と映像表示装置１６との間が有限な長さを有する接続ケーブル１４により接続されているため、両装置の相対的な位置関係に関する自由度が低い。つまり、映像表示装置１６を映像再生装置１２から遠い位置に移動させることが難しいという技術的課題がある。このような技術的課題を解決するために、映像信号を無線伝送する技術が開発された。
【００３３】
（無線接続の映像伝送システム２０について）
次に、図２を参照しながら、映像信号を無線伝送する映像伝送システム２０の構成について説明する。
【００３４】
図２に示すように、映像伝送システム２０は、映像送信システム２２と、映像受信システム２４とにより構成される。但し、映像送信システム２２は、映像再生装置２６と、接続ケーブル２８と、無線送信装置３０とにより構成される。また、映像受信システム２４は、無線受信装置３２と、接続ケーブル３４と、映像表示装置３６とにより構成される。
【００３５】
映像再生装置２６は、映像データが記録された記録メディアから映像データを読み出して再生し、再生された映像信号を出力する。また、映像再生装置２６は、放送データを受信し、その映像データを映像信号として出力するように構成されていてもよい。映像再生装置２６は、接続ケーブル２８を介して無線送信装置３０に接続されている。そのため、映像再生装置２６から出力された映像信号は、接続ケーブル２８を通じて無線送信装置３０に入力される。
【００３６】
無線送信装置３０は、接続ケーブル２８を介して映像再生装置２６から入力された映像信号を無線伝送する。無線送信装置３０により無線伝送された映像信号は、無線受信装置３２により受信される。無線受信装置３２は、接続ケーブル３４を介して映像表示装置３６に接続されている。そのため、無線送信装置３０から無線受信装置３２に無線伝送された映像信号は、接続ケーブル３４を通じて映像表示装置３６に入力される。
【００３７】
接続ケーブル３４を通じて無線受信装置３２から映像表示装置３６に映像信号が入力されると、映像表示装置３６は、入力された映像信号を表示画面に表示する。映像表示装置３６としては、例えば、テレビジョン受像機やプロジェクタ等が用いられる。もちろん、映像表示装置３６としてＰＣ用のディスプレイ等を用いることもできる。なお、上記の接続ケーブル２８、３４としては、例えば、ＨＤＭＩ信号、コンポーネント信号、コンポジット信号等を伝送することが可能な有線ケーブルが用いられる。
【００３８】
上記の映像伝送システム２０のように、映像再生装置２６と映像表示装置３６との間に無線送信装置３０と無線受信装置３２とを設けることで、映像信号を無線伝送することが可能になる。このような構成にすることで、上記の映像伝送システム１０が有する技術的課題が解決される。つまり、無線送信装置３０と無線受信装置３２との間が無線であるため、電波が届く範囲であれば、映像送信システム２２と映像受信システム２４との間の相対位置を任意に変更することが可能になる。その結果、映像再生装置２６、映像表示装置３６の設置に関する自由度が格段に向上する。
【００３９】
しかしながら、無線送信装置３０と無線受信装置３２との間が無線伝送であるため、伝送品質が劣化した場合に、映像表示装置３６に映像が表示されなかったり、表示される映像が乱れたりしてしまう。以下、当該技術的課題について、より詳細に説明する。
【００４０】
（映像伝送システム２０による伝送処理の流れ）
まず、図３〜図５を参照しながら、映像伝送システム２０における伝送処理の流れについて説明する。図３は、無線伝送品質の劣化が発生していない場合の映像伝送システム２０による伝送処理の流れを示したものである。図４、図５は、無線伝送品質の劣化が発生した場合の映像伝送システム２０による伝送処理の流れを示したものである。
【００４１】
（伝送品質が良好な場合）
図３を参照する。まず、再生映像の伝送処理が開始されると、映像再生装置２６から無線送信装置３０に映像信号が伝送される。上記の通り、映像再生装置２６と無線送信装置３０とは、接続ケーブル２８により有線接続されている。そのため、この段階で映像信号が途切れることはない。つまり、図３に示すように、映像再生装置２６から無線送信装置３０に映像信号（映像信号（１）、…、映像信号（６））が連続的に伝送される。
【００４２】
映像再生装置２６から無線送信装置３０に映像信号が伝達されると、無線送信装置３０は、無線受信装置３２に対して映像信号を無線伝送する。無線送信装置３０には、上記の通り、連続的に映像信号（映像信号（１）、…、映像信号（６））が入力されている。そのため、無線チャネルの伝送品質が良好ならば、無線送信装置３０と無線受信装置３２との間で、連続的に映像信号（映像信号（１）、…、映像信号（６））が無線伝送される。
【００４３】
なお、映像信号を無線伝送する際に用いる周波数チャネルは、映像信号毎に変更されてもよい。通常、信号を無線伝送する際、予め設定されている複数の周波数チャネルの中からチャネル特性の良い周波数チャネルが選択される。例えば、無線送信装置３０は、映像信号（１）を送信する時点で各周波数チャネルの利用状況を検知し、より良好なチャネル特性を有する周波数チャネル（１）を選択して映像信号（１）を送信する。このようにして各映像信号は、無線受信装置３２に無線伝送される。
【００４４】
無線送信装置３０から無線受信装置３２に無線伝送された映像信号は、無線受信装置３２から映像表示装置３６に伝送される。上記の通り、無線受信装置３２と映像表示装置３６とは、接続ケーブル３４により有線接続されている。そのため、この段階で映像信号が途切れることはない。この例のように、無線チャネルの伝送品質が良好ならば、無線受信装置３２に対して映像信号（映像信号（１）、…、映像信号（６））が連続的に伝送され、接続ケーブル３４を介して映像表示装置３６に入力される。
【００４５】
上記のように、無線チャネルの伝送品質が良好な状態に保たれ、映像信号（映像信号（１）、…、映像信号（６））が映像表示装置３６に連続して伝送される場合、ユーザは、支障無く映像を視聴することができる。しかし、伝送品質が劣化した場合、以下で説明するように視聴中の映像が途中で途切れてしまう。
【００４６】
（伝送品質が劣化した場合）
図４を参照する。まず、再生映像の伝送処理が開始されると、映像再生装置２６から無線送信装置３０に映像信号が伝送される。上記の通り、映像再生装置２６と無線送信装置３０とは、接続ケーブル２８により有線接続されている。そのため、この段階で映像信号が途切れることはない。つまり、図４に示すように、映像再生装置２６から無線送信装置３０に映像信号（映像信号（１）、…、映像信号（６））が連続的に伝送される。
【００４７】
映像再生装置２６から無線送信装置３０に映像信号が伝達されると、無線送信装置３０は、無線受信装置３２に対して映像信号を無線伝送する。無線送信装置３０には、上記の通り、連続的に映像信号（映像信号（１）、…、映像信号（６））が入力されている。そのため、無線チャネルの伝送品質が良好ならば、無線送信装置３０と無線受信装置３２との間で、連続的に映像信号（映像信号（１）、…、映像信号（６））が無線伝送される。
【００４８】
しかし、図４の例では、無線送信装置３０から映像信号（３）が送信される段階で無線チャネルの伝送品質が劣化しており、映像信号（３）、…、映像信号（５）が無線受信装置３２に到達していない。このような状況が発生した場合、無線送信装置３０と無線受信装置３２との間の周波数チャネルが切り替えられる。このとき、無線受信装置３２は、映像表示装置３６に対して切替開始通知を伝送する。この切替開始通知は、周波数チャネルの切り替えを開始したことを通知するための状態通知信号である。
【００４９】
無線受信装置３２から映像表示装置３６に切替開始通知が伝達されると、映像表示装置３６には、表示画面に周波数チャネルの切り替え中であることを示す情報が表示される。このような情報が映像表示装置３６に表示されることで、ユーザは、映像信号が無線受信装置３２に到達していないことを認識することができる。しかしながら、ユーザは、チャネル特性の良好な周波数チャネルが選択されるまでの間、映像表示装置３６の前で周波数チャネルの切り替え処理が完了するのを呆然と待つしかない。
【００５０】
チャネル特性の良好な周波数チャネルへの切り替え処理が完了すると、無線受信装置３２から映像表示装置３６に切替完了通知が伝送される。この切替完了通知は、周波数チャネルの切り替えが完了したことを通知するための状態通知信号である。この段階において、無線受信装置３２には、チャネル特性の良好な周波数チャネルを用いて無線送信装置３０から映像信号（映像信号（６））が伝達されている。そして、無線送信装置３０から無線受信装置３２に伝達された映像信号は、無線受信装置３２から映像表示装置３６に伝達される。
【００５１】
無線受信装置３２から映像表示装置３６に切替完了通知が伝達された後、映像表示装置３６は、チャネル切替中であることを示す情報の表示を取りやめ、無線受信装置３２から伝達された映像信号を表示画面に表示する。その後、無線チャネルの伝送品質が良好であれば、映像再生装置２６により再生された映像信号が無線送信装置３０、無線受信装置３２を経由して継続的に映像表示装置３６に伝送される。一方、無線チャネルの伝送品質が劣化した場合には、上記と同様に、無線送信装置３０と無線受信装置３２との間で無線伝送に用いる周波数チャネルが切り替えられる。
【００５２】
上記のように無線チャネルの伝送品質が劣化した場合に映像信号の無線伝送に用いる周波数チャネルを自動的に切り替えることで、ユーザが特別な設定変更等を行わなくても、継続的に映像信号が無線伝送される。また、周波数チャネルの切り替え処理が進行している間、映像表示装置３６に情報が表示されることで、ユーザが映像信号の伝送状態を認識できるようになる。
【００５３】
しかしながら、周波数チャネルが切り替えられている間、映像再生装置２６から無線送信装置３０へと映像信号が継続的に伝送されている。そのため、周波数チャネルの切り替え処理の間、刻々と映像シーンが進んでしまっている。その結果、周波数チャネルの切り替え処理後、映像表示装置３６に表示される映像シーンは、周波数チャネルの切り替え処理前の映像シーンから幾分進んだものになってしまう。つまり、ユーザは、周波数チャネルの切り替え処理が進行している間に再生された映像シーンを見逃してしまうのである。
【００５４】
このような場合、ユーザは、図５に示すように、映像再生装置２６を操作し、映像シーンを周波数チャネルの切り替え処理前まで巻き戻す。なお、図５は、図４において無線受信装置３２から映像表示装置３６に切替完了通知が伝送された時点から後の処理シーケンスを示すものである。図５に示すように、周波数チャネルの切り替え処理が完了すると、無線送信装置３０から無線受信装置３２に映像信号（映像信号（６））が伝送される。しかし、ユーザは、映像再生装置２６に対し、周波数チャネルの切り替え処理前の時点まで映像シーンの巻き戻し操作を行う。
【００５５】
ユーザ操作により映像シーンが巻き戻された後、映像再生装置２６から無線送信装置３０には、巻き戻された映像シーンから始まる映像信号（映像信号（２）、…、映像信号（６））が継続的に伝送される。映像再生装置２６から無線送信装置３０に映像信号が伝達されると、無線送信装置３０は、無線受信装置３２に対して映像信号を無線伝送する。無線チャネルの伝送品質が良好ならば、無線送信装置３０と無線受信装置３２との間で、連続的に映像信号（映像信号（２）、…、映像信号（６））が無線伝送される。
【００５６】
以上説明したように、無線チャネルの伝送品質が劣化すると、無線送信装置３０から無線受信装置３２に伝送される映像信号が途切れてしまう。無線環境においては、様々な理由により、上記のような伝送品質の劣化が避けられない。そのため、無線チャネルの伝送品質が劣化した場合に、上記と同様に、周波数チャネルの切り替え処理等を実行することで、無線チャネルの伝送品質を極力良好な状態に保つように制御される。
【００５７】
また、映像信号の無線伝送に特化して考えるならば、周波数チャネルの切り替えタイミングが映像表示装置３６のＶブランキング期間に合うようにタイミングを制御する工夫も考えられる。このような工夫により、ユーザの視覚に対する影響が出にくくなる。しかし、このような工夫は周波数チャネルの切り替え処理が瞬時に完了するような場合に効果があるものの、周波数チャネルの検出に長い時間が掛かるような状況には適用が難しい。
【００５８】
例えば、無線送信装置３０、無線受信装置３２の他にも無線機器が動作しているような状況においては、周波数チャネルの使用状況が混雑状態となっていることが多い。このような混雑状態においては、有効な周波数チャネルの検出に時間が掛かる上、周波数チャネルの切り替え処理に失敗してリトライを繰り返す機会が増加してしまう。その結果、無線送信装置３０から無線受信装置３２に映像信号が無線伝送されない期間が長くなる。
【００５９】
既に述べた通り、映像再生装置２６は、無線送信装置３０と無線受信装置３２との間で映像信号が無線伝送されない期間も、映像データを再生し続け、映像信号を無線送信装置３０に送出し続けている。そのため、映像表示装置３６に映像信号が伝達されていないにも関わらず、映像シーンが進んでしまう。その結果、ユーザは、無線チャネルの伝送品質が劣化し、周波数チャネルの切り替え処理が実行されている期間に再生された映像シーンを見落としてしまうことになる。
【００６０】
図４に示した例のように、映像表示装置３６の表示画面に「周波数チャネル切り替え中」等の情報を表示することで、ユーザの違和感を軽減させることができるかもしれない。しかし、このような情報表示は、上記のような無線伝送に係る技術的課題を根本的に解決するものではない。つまり、このような情報表示を行ったとしても、図５に例示したように、巻き戻し操作を行う必要が生じてしまうのである。例えば、３０分に１回程度の頻度で伝送品質の劣化が発生する場合、２時間半の映画を視聴しているユーザは、全て視聴し終わるまでに５回程度巻き戻し操作を行う必要がある。このように、頻繁に巻き戻し操作が必要になると、ユーザは、映画の視聴に集中できず、映画を楽しむことができない。
【００６１】
そこで、後述する実施形態においては、無線チャネルの品質劣化が発生したとしても、無線チャネルの伝送品質が回復した後で映像シーンの巻き戻し操作を行わずに、伝送品質が劣化する前の映像シーンから視聴できるようにする技術が提案される。
【００６２】
＜実施形態＞
以下、本発明の一実施形態について説明する。本実施形態は、映像信号を無線伝送する技術に関する。特に、本実施形態の技術は、無線チャネルの伝送品質が劣化して映像が乱れたり、途切れたりした場合に、伝送品質の回復後に映像シーンの巻き戻し操作を行わずとも、伝送品質が劣化する前の映像シーンから視聴することを可能にするものである。
【００６３】
［映像伝送システム５０の構成］
まず、図６を参照しながら、本実施形態に係る映像伝送システム５０の構成について説明する。但し、上記の映像伝送システム２０と実質的に同一の機能を有する構成要素については同一の符号を付することにより詳細な説明を省略する。
【００６４】
図６に示すように、映像伝送システム５０は、映像送信システム２２と、映像受信システム２４とにより構成される。但し、映像送信システム２２は、映像再生装置２６と、接続ケーブル２８と、無線送信装置１００とにより構成される。また、映像受信システム２４は、無線受信装置２００と、接続ケーブル３４と、映像表示装置３６とにより構成される。上記の映像伝送システム２０との主な相違点は、無線送信装置１００、及び無線受信装置２００の機能構成にある。そこで、当該相違点を中心に説明する。
【００６５】
映像再生装置２６は、映像データが記録された記録メディアから映像データを読み出して再生し、再生された映像信号を出力する。また、映像再生装置２６は、放送データを受信し、その映像データを映像信号として出力するように構成されていてもよい。映像再生装置２６は、接続ケーブル２８を介して無線送信装置３０に接続されている。そのため、映像再生装置２６から出力された映像信号は、接続ケーブル２８を通じて無線送信装置１００に入力される。
【００６６】
無線送信装置１００は、接続ケーブル２８を介して映像再生装置２６から入力された映像信号を無線伝送する。無線送信装置１００により無線伝送された映像信号は、無線受信装置２００により受信される。無線受信装置２００は、接続ケーブル３４を介して映像表示装置３６に接続されている。そのため、無線送信装置１００から無線受信装置２００に無線伝送された映像信号は、接続ケーブル３４を通じて映像表示装置３６に入力される。接続ケーブル３４を通じて無線受信装置２００から映像表示装置３６に映像信号が入力されると、映像表示装置３６は、入力された映像信号を表示画面に表示する。
【００６７】
（無線送信装置１００の機能構成）
図７を参照しながら、本実施形態に係る無線送信装置１００の機能構成について説明する。図７は、本実施形態に係る無線送信装置１００の機能構成例を示す説明図である。
【００６８】
図７に示すように、無線送信装置１００は、主に、アンテナ１０２と、無線通信部１０４と、接続端子１０６と、品質情報取得部１０８と、伝送品質検知部１１０と、再生制御部１１２とにより構成される。
【００６９】
（１）映像信号の送信処理に関する機能構成
まず、映像信号の送信処理に関する機能構成について説明する。上記の通り、無線送信装置１００には、映像再生装置２６から映像信号が入力される。このとき、映像再生装置２６から出力される映像信号は、接続端子１０６に接続された接続ケーブル２８を介して入力される。つまり、接続端子１０６は、映像再生装置２６から映像信号を伝送するための接続ケーブル２８が接続される端子である。接続端子１０６から入力された映像信号は、無線通信部１０４に入力される。無線通信部１０４に入力された映像信号は、アンテナ１０２を介して無線受信装置２００に無線伝送される。このとき、映像信号は、無線通信部１０４により変調され、無線伝送用の変調信号に変換されてから無線伝送される。
【００７０】
（２）映像データの再生制御に関する機能構成
次に、映像データの再生制御に関する機能構成について説明する。本実施形態においては、無線チャネルの伝送品質が劣化した場合、伝送品質が回復するまで映像シーンが進行しないように映像データの再生処理が制御される。このような再生制御に関する機能は、主に、品質情報取得部１０８、伝送品質検知部１１０、及び再生制御部１１２により実現される。
【００７１】
無線送信装置１００から無線受信装置２００に対して映像信号の無線伝送が開始されると、品質情報取得部１０８は、無線通信部１０４を介して無線チャネルの伝送品質に関する情報（以下、品質情報）を取得する。品質情報には、例えば、無線受信装置２００により検出されるＳＮＲ（Ｓｉｇｎａｌ  ｔｏ  Ｎｏｉｓｅ  Ｒａｔｉｏ）やＢＥＲ（Ｂｉｔ  Ｅｒｒｏｒ  Ｒａｔｅ）等の情報が含まれる。また、品質情報には、例えば、無線受信装置２００により受信された映像信号をデコードして得られる映像データの再生品質に関する情報が含まれる。但し、品質情報には、伝送品質の良否が示されていてもよい。
【００７２】
上記のように、品質情報取得部１０８により取得された品質情報は、伝送品質検知部１１０に入力される。伝送品質検知部１１０は、品質情報に含まれる情報に基づいて無線チャネルの伝送品質が劣化したか否かを検知する。例えば、品質情報にＳＮＲの情報が含まれる場合、伝送品質検知部１１０は、品質情報に含まれるＳＮＲが所定値を下回ったか否かを判定する。また、品質情報に映像データの再生品質に関する情報が含まれる場合、伝送品質検知部１１０は、映像データの再生品質が所定品質を下回ったか否かを判定する。さらに、品質情報に伝送品質の良否が示されている場合、伝送品質検知部１１０は、品質情報に示された伝送品質の良否に基づいて判定結果を出力する。
【００７３】
これらの判定結果から、伝送品質検知部１１０は、映像信号に乱れが生じている場合に、無線チャネルの伝送品質が劣化状態にあると判断する。また、上記の判定結果から映像信号の乱れが低減又は除去されたことを検知すると、伝送品質検知部１１０は、無線チャネルの伝送品質が回復したと判断する。伝送品質検知部１１０による伝送品質の判断結果は、再生制御部１１２に入力される。再生制御部１１２は、伝送品質検知部１１０から入力された伝送品質の判断結果に基づき、映像再生装置２６の再生処理を制御する。
【００７４】
例えば、伝送品質検知部１１０から再生制御部１１２に伝送品質の劣化を示す判断結果が入力されると、再生制御部１１２は、接続端子１０６に接続された接続ケーブル２８を通じて再生停止要求を伝送する。この再生停止要求は、映像再生装置２６に映像データの再生処理を停止させるための制御信号である。再生制御部１１２から映像再生装置２６に再生停止要求が伝達されると、映像再生装置２６による映像データの再生が停止される。
【００７５】
その後、伝送品質検知部１１０から再生制御部１１２に伝送品質の回復を示す判断結果が入力されると、再生制御部１１２は、接続端子１０６に接続された接続ケーブル２８を通じて再生開始要求を伝送する。この再生開始要求は、映像再生装置２６に映像データの再生処理を再開させるための制御信号である。再生制御部１１２から映像再生装置２６に再生開始要求が伝達されると、映像再生装置２６による映像データの再生が再開される。
【００７６】
上記のように、無線送信装置１００は、無線チャネルの伝送品質を監視し、その伝送品質が劣化したことを検知して映像再生装置２６による映像データの再生を停止させる。その後、無線チャネルの伝送品質が回復した場合、無線送信装置１００は、その伝送品質が回復したことを検知して映像再生装置２６による映像データの再生を再開させる。このように、無線チャネルにおける伝送品質の状態変化に応じて映像データの再生制御が実行されるため、周波数チャネルの切り替え等が実行されても、その実行期間に映像シーンが進行してしまうことがない。その結果、無線チャネルの伝送品質が回復した後、ユーザが映像シーンを巻き戻さなくても、伝送品質が劣化した時点の映像シーンから再生される。
【００７７】
（無線受信装置２００の機能構成）
図８を参照しながら、本実施形態に係る無線受信装置２００の機能構成について説明する。図８は、本実施形態に係る無線受信装置２００の機能構成例を示す説明図である。
【００７８】
図８に示すように、無線受信装置２００は、アンテナ２０２と、無線通信部２０４と、デコード部２０６と、接続端子２０８と、品質判定部２１０と、品質情報提供部２１２とにより構成される。
【００７９】
上記の通り、無線受信装置２００には、無線送信装置１００から映像信号が無線伝送される。但し、映像信号は、無線送信装置１００により無線伝送用の変調信号に変換されて無線伝送される。そのため、アンテナ２０２を介して受信された無線伝送用の変調信号は、無線通信部２０４により変調前の映像信号に復調される。このとき、無線通信部２０４は、ＳＮＲやＢＥＲ等の伝送品質に関連するエラー情報を検出する。例えば、無線通信部２０４は、ＣＲＣ（Ｃｙｃｌｉｃ  Ｒｅｄｕｎｄａｎｃｙ  Ｃｈｅｃｋ）を計算してＢＥＲを検出する。
【００８０】
このようにして無線通信部２０４により検出されたエラー情報は、品質判定部２１０に入力される。また、無線通信部２０４により復調された映像信号は、デコード部２０６に入力される。無線通信部２０４からデコード部２０６に映像信号が入力されると、デコード部２０６は、映像信号をデコードして映像データを復元する。このとき、デコード部２０６は、映像信号をデコードする際に発生したエラーを検出する。
【００８１】
デコード部２０６により検出されたエラーの情報は、品質判定部２１０に入力される。また、デコード部２０６によりデコードされた映像データは、接続端子２０８に入力される。接続端子２０８には、接続ケーブル３４を介して映像表示装置３６が接続されている。そのため、接続端子２０８に入力された映像データは、接続ケーブル３４を介して映像表示装置３６に伝送される。
【００８２】
上記の通り、品質判定部２１０には、無線通信部２０４により信号受信時に検出されたエラー情報が入力される。また、品質判定部２１０には、デコード部２０６により映像信号の復号時に検出されたエラー情報が入力される。品質判定部２１０は、これらのエラー情報に基づいて無線チャネルの伝送品質に関する品質情報を生成する。例えば、品質判定部２１０は、無線通信部２０４から入力されたＢＥＲが所定値を下回っているか否かを示す品質情報を生成する。また、品質判定部２１０は、デコード部２０６から入力されたエラーレートが所定値を下回っているか否かを示す品質情報を生成する。
【００８３】
但し、無線送信装置１００においてＢＥＲやデコードエラーレートから品質判定が可能な場合には、例えば、ＢＥＲやデコードエラーレート等のエラー情報がそのまま含まれる品質情報を生成するように品質判定部２１０が構成される。品質判定部２１０により生成された品質情報は、品質情報提供部２１２に入力される。品質判定部２１０から品質情報提供部２１２に品質情報が入力されると、品質情報提供部２１２は、無線通信部２０４を介して無線送信装置１００に向けて品質情報を送信する。
【００８４】
以上説明したように、無線受信装置２００は、無線送信装置１００から映像信号を受信すると共に、映像信号を受信する際に検出されたエラー情報を無線送信装置１００に帰還する。また、無線受信装置２００は、無線送信装置１００から受信した映像信号をデコードする際に得られたデコードエラーの情報を無線送信装置１００に帰還する。このように、無線受信装置２００から無線送信装置１００に帰還されることで、無線送信装置１００において無線チャネルの伝送品質を判定することができるようになる。
【００８５】
以上、本実施形態に係る映像伝送システム５０の構成、映像伝送システム５０に含まれる無線送信装置１００、及び無線受信装置２００の機能構成について説明した。上記の通り、映像伝送システム５０においては、無線受信装置２００から無線送信装置１００にエラー情報が帰還され、このエラー情報に基づいて無線送信装置１００により映像再生装置２６の再生処理が制御される。そのため、無線チャネルの伝送品質が低下して映像の再生が途切れたとしても、伝送品質が回復するまで映像データの再生処理が停止される。また、無線チャネルの伝送品質が回復し、映像が再び再生された際に、伝送品質の劣化が検出された時点の映像シーンから映像の再生が開始される。その結果、伝送品質の劣化に伴って映像の再生が途切れている期間に映像シーンが進んでしまうことがなく、ユーザが何度も映像シーンを巻き戻す必要がなくなる。
【００８６】
［映像伝送システム５０による伝送処理の流れ］
次に、図９を参照しながら、本実施形態に係る映像伝送システム５０による伝送処理の流れについて説明する。図９は、本実施形態に係る映像伝送システム５０による伝送処理の流れを示す説明図である。
【００８７】
図９に示すように、再生映像の伝送処理が開始されると、映像再生装置２６から無線送信装置１００に映像信号が伝送される。上記の通り、映像再生装置２６と無線送信装置１００とは、接続ケーブル２８により有線接続されている。そのため、この段階で映像信号が途切れることはない。つまり、図９に示すように、映像再生装置２６から無線送信装置１００に映像信号（映像信号（１）、映像信号（２））が連続的に伝送される。
【００８８】
映像再生装置２６から無線送信装置１００に映像信号が伝達されると、無線送信装置１００は、無線受信装置２００に対して映像信号を無線伝送する。無線送信装置１００には、上記の通り、連続的に映像信号（映像信号（１）、映像信号（２））が入力されている。この段階では、無線チャネルの伝送品質が良好であるため、無線送信装置１００と無線受信装置２００との間で、連続的に映像信号（映像信号（１）、映像信号（２））が無線伝送される。
【００８９】
しかし、図９の例では、無線送信装置１００から映像信号（３）が送信される前の段階で無線チャネルの伝送品質が劣化している。このような伝送品質の劣化が検出されると（Ｓ１）、無線受信装置２００は、無線送信装置１００に対して品質情報（劣化の通知）を無線伝送する（Ｓ２）。また、無線送信装置１００と無線受信装置２００との間の周波数チャネルが切り替えられる。このとき、無線受信装置２００は、映像表示装置３６に対して切替開始通知を伝送する（Ｓ４）。
【００９０】
この切替開始通知は、周波数チャネルの切り替えを開始したことを通知するための状態通知信号である。無線受信装置２００から映像表示装置３６に切替開始通知が伝達されると、映像表示装置３６には、表示画面に周波数チャネルの切り替え中であることを示す情報が表示される。このような情報が映像表示装置３６に表示されることで、ユーザは、映像信号が無線受信装置３２に到達していないことを認識することができる。
【００９１】
無線受信装置２００から無線送信装置１００に品質情報（劣化の通知）が伝達されると、無線送信装置１００から映像再生装置２６に再生停止要求が伝送される（Ｓ３）。この再生停止要求は、映像再生装置２６に対して映像データの再生処理を停止させるための制御信号である。そのため、無線送信装置１００から再生停止要求を取得すると、映像再生装置２６は映像データの再生処理を停止する。映像データの再生処理が停止されている間、無線受信装置２００により、周波数チャネルの切り替え処理が実行される（Ｓ５）。
【００９２】
チャネル特性の良好な周波数チャネルへの切り替え処理が完了し、無線受信装置２００により伝送品質の回復が検出されると（Ｓ６）、無線受信装置２００から無線送信装置１００に品質情報通知（回復の通知）が無線伝送される（Ｓ７）。無線送信装置１００は、無線受信装置２００から品質情報通知（回復の通知）を受け、映像再生装置２６に対して再生開始要求を伝送する（Ｓ８）。この再生開始要求は、映像再生装置２６に対して映像データの再生処理を再開させるための制御信号である。そのため、無線送信装置１００から再生開始要求を取得すると、映像再生装置２６は映像データの再生処理を再開する。
【００９３】
また、無線受信装置２００により伝送品質の回復が検出されると（Ｓ６）、無線受信装置２００から映像表示装置３６に切替完了通知が伝送される（Ｓ９）。この切替完了通知は、周波数チャネルの切り替えが完了したことを通知するための状態通知信号である。この段階において、無線受信装置２００には、チャネル特性の良好な周波数チャネルを用いて無線送信装置１００から映像信号（映像信号（３））が伝達されている。そして、無線送信装置１００から無線受信装置２００に伝達された映像信号は、無線受信装置２００から映像表示装置３６に伝達される。
【００９４】
無線受信装置２００から映像表示装置３６に切替完了通知が伝達された後、映像表示装置３６は、チャネル切替中であることを示す情報の表示を取りやめ、無線受信装置２００から伝達された映像信号を表示画面に表示する。その後、無線チャネルの伝送品質が良好であれば、映像再生装置２６により再生された映像信号が無線送信装置１００、無線受信装置２００を経由して継続的に映像表示装置３６に伝送される。一方、無線チャネルの伝送品質が劣化した場合には、上記と同様に、無線送信装置１００と無線受信装置２００との間で無線伝送に用いる周波数チャネルが切り替えられる。その際、上記と同様に、映像データの再生処理が制御される。
【００９５】
以上説明したように、無線チャネルの伝送品質が低下して映像の再生が途切れたとしても、伝送品質が回復するまで映像データの再生処理が停止される。また、無線チャネルの伝送品質が回復し、映像が再び再生された際に、伝送品質の劣化が検出された時点の映像シーンから映像の再生が開始される。その結果、伝送品質の劣化に伴って映像の再生が途切れている期間に映像シーンが進んでしまうことがなく、ユーザが何度も映像シーンを巻き戻しながら視聴する必要がなくなる。
【００９６】
（備考）
上記の映像信号は、圧縮されたものでも、非圧縮のものでもよい。また、映像信号の無線伝送には、例えば、２．４ＧＨｚ帯、５ＧＨｚ帯、６０ＧＨｚ帯、ＦＭ等の周波数帯が用いられる。もちろん、本実施形態は、これらの周波数帯に限定されず、任意の周波数帯を用いた無線伝送に適用できる。また、映像再生装置２６の再生制御には、例えば、リモコン用の制御コマンドが用いられてもよいし、ＨＤＭＩ規格のＣＥＣコマンド（例えば、ＤＥＣＫ  ＣＯＮＴＲＯＬやＰＬＡＹ等）が用いられてもよい。リモコン用の制御コマンドを用いる場合、無線送信装置１００は、映像再生装置２６を制御するために赤外線通信やＲＦ通信等を用いてもよい。もちろん、無線送信装置１００から映像再生装置２６を制御するための専用コマンドが用いられてもよい。
【００９７】
［ハードウェア構成例（無線送信装置１００、無線受信装置２００）］
上記装置が有する各構成要素の機能は、例えば、図１０に示すハードウェア構成を有する情報処理装置により、上記の機能を実現するためのコンピュータプログラムを用いて実現することが可能である。図１０は、上記装置の各構成要素が有する機能を実現することが可能な情報処理装置のハードウェア構成を示す説明図である。この情報処理装置の形態は任意であり、例えば、パーソナルコンピュータ、携帯電話、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の携帯情報端末、ゲーム機、又は各種の情報家電等の形態がこれに含まれる。
【００９８】
図１０に示すように、当該情報処理装置は、主に、ＣＰＵ（Ｃｅｎｔｒａｌ  Ｐｒｏｃｅｓｓｉｎｇ  Ｕｎｉｔ）９０２と、ＲＯＭ（Ｒｅａｄ  Ｏｎｌｙ  Ｍｅｍｏｒｙ）９０４と、ＲＡＭ（Ｒａｎｄｏｍ  Ａｃｃｅｓｓ  Ｍｅｍｏｒｙ）９０６と、ホストバス９０８と、ブリッジ９１０と、外部バス９１２と、インターフェース９１４と、入力部９１６と、出力部９１８と、記憶部９２０と、ドライブ９２２と、接続ポート９２４と、通信部９２６とにより構成される。
【００９９】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、例えば、ＣＰＵ９０２に読み込まれるプログラムや演算に用いるデータ等を格納する。ＲＡＭ９０６は、例えば、ＣＰＵ９０２に読み込まれるプログラムや、そのプログラムを実行する際に適宜変化する各種パラメータ等を一時的又は永続的に格納する。これらの構成要素は、例えば、高速なデータ伝送が可能なホストバス９０８によって相互に接続されている。また、ホストバス９０８は、例えば、ブリッジ９１０を介して比較的データ伝送速度が低速な外部バス９１２に接続されている。
【０１００】
入力部９１６は、例えば、マウス、キーボード、タッチパネル、ボタン、スイッチ、及びレバー等の操作手段である。また、入力部９１６は、赤外線やその他の電波を利用して制御信号を送信することが可能なリモートコントロール手段（所謂、リモコン）であってもよい。なお、入力部９１６は、上記の操作手段を用いて入力された情報を入力信号としてＣＰＵ９０２に伝送するための入力制御回路等により構成されている。
【０１０１】
出力部９１８は、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  ＤｉｓｐｌａｙＰａｎｅｌ）、又はＥＬＤ（Ｅｌｅｃｔｒｏ−Ｌｕｍｉｎｅｓｃｅｎｃｅ  Ｄｉｓｐｌａｙ）等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。
【０１０２】
記憶部９２０は、各種のデータを格納するための装置であり、例えば、ハードディスクドライブ（ＨＤＤ；Ｈａｒｄ  Ｄｉｓｋ  Ｄｒｉｖｅ）等の磁気記憶デバイス、半導体記憶デバイス、光記憶デバイス、又は光磁気記憶デバイス等により構成される。
【０１０３】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、コンパクトフラッシュ（登録商標）（ＣＦ；ＣｏｍｐａｃｔＦｌａｓｈ）、メモリースティック、又はＳＤメモリカード（Ｓｅｃｕｒｅ  Ｄｉｇｉｔａｌ  ｍｅｍｏｒｙ  ｃａｒｄ）等である。もちろん、リムーバブル記録媒体９２８は、例えば、非接触型ＩＣチップを搭載したＩＣカード（Ｉｎｔｅｇｒａｔｅｄ  Ｃｉｒｃｕｉｔ  Ｃａｒｄ）、又は電子機器等であってもよい。
【０１０４】
接続ポート９２４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。
【０１０５】
通信部９２６は、ネットワーク９３２に接続するための通信デバイスであり、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。
【０１０６】
［まとめ］
最後に、本実施形態に係る映像送信装置、及び映像伝送システムが有する機能構成と、当該機能構成により得られる作用効果について簡単に纏める。なお、上記の無線送信装置１００は、当該映像送信装置の一例である。上記の映像伝送システム５０は、当該映像伝送システムの一例である。
【０１０７】
本実施形態に係る映像送信装置は、例えば、次のように表現することができる。当該映像送信装置は、接続端子と、無線伝送部と、伝送品質検知部と、再生制御部とを有する。上記の接続端子１０６は、当該接続端子の一例である。上記の無線通信部１０４は、当該無線伝送部の一例である。上記の伝送品質検知部１１０は、当該伝送品質検知部の一例である。上記の再生制御部１１２は、当該再生制御部の一例である。
【０１０８】
上記の接続端子には、映像再生機器が接続される。また、上記の無線伝送部は、前記接続端子を通じて入力された映像信号を無線伝送するものである。さらに、上記の伝送品質検知部は、前記無線伝送部により無線伝送される際の伝送品質を検知するものである。そして、上記の再生制御部は、前記伝送品質の劣化が検知された場合に前記映像再生機器を制御して映像の再生を停止させ、前記伝送品質が回復した場合に前記映像の再生を再開させるものである。このように、上記の映像送信装置は、無線伝送部により映像信号を無線伝送することができる。
【０１０９】
また、伝送品質検知部により無線チャネルの伝送品質が劣化したことや、当該伝送品質が回復したことを検知することができる。さらに、再生制御部により、伝送品質検知部で検知された伝送品質の状態に応じて映像データの再生処理が制御される。例えば、伝送品質の劣化により映像信号が無線伝送されない期間、映像データの再生処理が停止され、伝送品質の回復後に映像データの再生処理が再開される。その結果、ユーザは、伝送品質の劣化に伴って映像が途切れた場合にも、伝送品質が回復した後で映像シーンを巻き戻し再生せずに映像が途切れる前の映像シーンから続けて視聴することが可能になる。
【０１１０】
また、上記の映像送信装置は、前記映像信号の無線伝送先で検出される前記伝送品質の情報を当該無線伝送先から取得する品質情報取得部をさらに有していてもよい。この場合、前記伝送品質検知部は、前記品質情報取得部により取得された伝送品質の情報に基づいて前記伝送品質を検知する。無線チャネルの伝送品質を検出する方法としては、映像信号の無線伝送先で検出された伝送品質の情報を用いるものと、映像送信装置の側で検出した伝送品質の情報を用いるものとがある。本実施形態においては、どちらの方法を用いてもよい。但し、無線伝送先で伝送品質の情報を検出する方法を用いる場合、無線伝送先で映像信号をデコードして得られるエラー情報に基づいて伝送品質を判定することができる。
【０１１１】
また、前記品質情報取得部は、前記伝送品質が所定品質よりも劣化した場合に品質劣化を示す情報を取得し、前記所定品質以上の伝送品質が回復した場合に品質回復を示す情報を取得する。品質情報取得部により、伝送品質の劣化又は回復を直接的に示す品質情報が取得されれば、その品質情報に基づいて再生制御を実行すれば済む。一方、無線伝送先から品質情報としてエラー情報が取得された場合、そのエラー情報に基づいて伝送品質の劣化又は回復を判定し、その判定結果に基づいて再生制御を実行する必要がある。
【０１１２】
しかし、品質情報をどのような形式にするかは、映像送信装置、及び無線伝送先の装置の構成や実施の態様に応じて適宜選択される事項である。例えば、高速な演算処理が可能なＣＰＵが映像送信装置に搭載されているならば、伝送品質の判定処理が映像送信装置により実行されるように構成されている方が好ましい。一方、高速な演算処理が可能なＣＰＵが無線伝送先に搭載されているならば、伝送品質の判定処理が無線伝送先で実行されるように構成されている方が好ましい。
【０１１３】
また、前記品質情報取得部は、前記映像信号の無線伝送先でデコード後の映像品質が所定品質を下回った場合に前記品質劣化を示す情報を取得し、前記所定品質以上の映像品質が回復した場合に品質回復を示す情報を取得する。上記の通り、伝送品質の判定には、例えば、ＢＥＲやＳＮＲ等を用いることもできるが、映像信号をデコードして得られる映像の映像品質を基準にすることもできる。
【０１１４】
実際、映像が多少乱れていても、視聴の妨げにならないことが多い。このような映像の乱れは、必ずしも通信エラー率の大小により決まるものではない。例えば、動きが少ない映像シーンの場合、映像信号としては、フレーム間の差分情報が主に伝送されるため、通信エラー率が高くても、デコード後の映像には影響が少ないのである。逆に、動きの激しい映像やシーンチェンジ等が発生するような映像においては、通信エラー率が低いにも関わらず、映像の乱れが発生する場合がある。従って、デコード後の映像品質を基準にして伝送品質を判定し、その判定結果に基づいて再生制御を行うことで、映像の表示が中断される機会を減らすことが可能になる。
【０１１５】
また、前記伝送品質は、前記映像信号の伝送先で検出される復調時又は復号時のエラーレートに基づいて判定されてもよい。映像データの種類やビットレートにより、伝送品質の判定に用いる基準を変更したり、複数の基準を組み合わせて用いることができる。本実施形態に係る技術については、上記のように様々な拡張が可能なのである。
【０１１６】
さて、上記の映像送信装置を用いて、次のような映像伝送システムを構成することができる。当該映像伝送システムは、映像送信装置と、映像受信装置とを含む。
【０１１７】
上記の映像送信装置は、映像再生機器が接続される接続端子と、前記接続端子を通じて入力された映像信号を無線伝送する無線伝送部と、前記映像信号の無線伝送品質を示す品質情報を取得する品質情報取得部と、前記品質情報取得部により取得された品質情報に基づき、前記伝送品質の劣化が検知された場合に前記映像再生機器を制御して映像の再生を停止させ、前記伝送品質が回復した場合に前記映像の再生を再開させる再生制御部とを有するものである。
【０１１８】
また、上記の映像受信装置は、前記映像送信装置から無線伝送された映像信号を受信する無線受信部と、前記無線受信部により受信された映像信号をデコードするデコード部と、前記デコード部によりデコードされた映像信号の映像品質を判定する品質判定部と、前記品質判定部による判定結果を前記品質情報として提供する品質情報提供部とを有するものである。このような構成にすることで、伝送品質の劣化に伴って映像の再生が途切れている期間に映像シーンが進んでしまうことがなく、ユーザが何度も映像シーンを巻き戻しながら視聴する必要がなくなる。
【０１１９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１２０】
【図１】映像伝送システムの一構成例を示す説明図である。
【図２】映像伝送システムの一構成例を示す説明図である。
【図３】映像伝送システムにおける映像伝送処理の流れを示す説明図である。
【図４】映像伝送システムにおける映像伝送処理の流れを示す説明図である。
【図５】映像伝送システムにおける映像伝送処理の流れを示す説明図である。
【図６】本発明の一実施形態に係る映像伝送システムの構成例を示す説明図である。
【図７】同実施形態に係る無線送信装置の構成例を示す説明図である。
【図８】同実施形態に係る無線受信装置の構成例を示す説明図である。
【図９】同実施形態に係る映像伝送処理の流れを示す説明図である。
【図１０】同実施形態に係る無線送信装置、無線受信装置の主な機能を実現することが可能なハードウェア構成の一例を示す説明図である。
【符号の説明】
【０１２１】
１０、２０    映像伝送システム
１２    映像再生装置
１４    接続ケーブル
１６    映像表示装置
２２    映像送信システム
２４    映像受信システム
２６    映像再生装置
２８    接続ケーブル
３０    無線送信装置
３２    無線受信装置
３４    接続ケーブル
３６    映像表示装置
５０    映像伝送システム
１００    無線送信装置
２００    無線受信装置
１０２    アンテナ
１０４    無線通信部
１０６    接続端子
１０８    品質情報取得部
１１０    伝送品質検知部
１１２    再生制御部
２０２    アンテナ
２０４    無線通信部
２０６    デコード部
２０８    接続端子
２１０    品質判定部
２１２    品質情報提供部
【図１】
2010041615.tif 000003
【図２】
2010041615.tif 000004
【図３】
2010041615.tif 000005
【図４】
2010041615.tif 000006
【図５】
2010041615.tif 000007
【図６】
2010041615.tif 000008
【図７】
2010041615.tif 000009
【図８】
2010041615.tif 000010
【図９】
2010041615.tif 000011
【図１０】
2010041615.tif 000012